(57)【特許請求の範囲】
【請求項１】
時系列的な複数のフレーム画像情報によって構成される動画像情報を含む医用情報を記憶装置に記録する医用情報記録部と、
前記記憶装置から前記医用情報を取得する医用情報取得部と、
前記医用情報取得部によって取得される前記医用情報に含まれる前記動画像情報の中からサムネイル画像とは別に一つ以上の特定フレーム画像情報を取得し、前記特定フレーム画像情報を前記記憶装置に記録すると共に、前記動画像情報内における前記特定フレーム画像情報の時系列的な順位情報である特定フレーム順位情報を前記記憶装置に記録する特定フレーム画像情報取得・記録部と、を有することを特徴とする医用情報再生表示システム。
【請求項２】
前記医用情報取得部によって取得される前記医用情報に対応する前記特定フレーム画像情報を前記記憶装置から取得すると共に、取得される前記特定フレーム画像情報に対応する前記特定フレーム順位情報を前記記憶装置から取得する特定フレーム情報取得部をさらに有することを特徴とする請求項１に記載の医用情報再生表示システム。
【請求項３】
前記医用情報取得部から提供される前記医用情報に含まれる前記動画像情報を動画像として再生表示したり、前記特定フレーム情報取得部から提供される前記特定フレーム画像情報を静止画像として再生表示すると共に、前記動画像情報を前記特定フレーム順位情報に対応する順位のフレーム画像情報から動画像として再生表示したりする静止画像・動画像再生表示部とをさらに有することを特徴とする請求項２に記載の医用情報再生表示システム。
【請求項４】
前記静止画像・動画像再生表示部は、前記動画像情報を、前記特定フレーム順位情報より所要順位だけ前の順位のフレーム画像情報から再生表示する構成とすることを特徴とする請求項３に記載の医用情報再生表示システム。
【請求項５】
前記静止画像・動画像再生表示部は、前記動画像情報を、前記特定フレーム順位情報より表示時間が所要時間だけ前のフレーム画像情報から再生表示する構成とすることを特徴とする請求項３に記載の医用情報再生表示システム。
【請求項６】
前記静止画像・動画像再生表示部は、前記動画像情報を、順送り又は逆送にて再生表示する構成とすることを特徴とする請求項３に記載の医用情報再生表示システム。
【請求項７】
前記特定フレーム画像情報と、前記静止画像・動画像再生表示部による前記動画像情報の再生表示によって表示される時系列的に最後のフレーム画像情報とを設定する特定フレーム画像情報設定部をさらに有し、前記静止画像・動画像再生表示部は、前記動画像情報を前記特定フレーム順位情報に対応する順位のフレーム画像情報及び前記最後のフレーム画像情報の間をループ再生表示する構成とすることを特徴とする請求項３に記載の医用情報再生表示システム。
【請求項８】
前記特定フレーム画像情報を設定する特定フレーム画像情報設定部をさらに有し、前記特定フレーム画像情報設定部は、前記動画像情報の中から、コメント、アノテーション及び計測情報のうち少なくとも１つが付帯されるものを前記特定フレーム画像情報として設定する構成とすることを特徴とする請求項１に記載の医用情報再生表示システム。
【発明の詳細な説明】
【技術分野】
【０００１】
本発明は、医用情報を基に画像を再生表示する技術に係り、特に、医用情報に含まれる動画像情報を再生表示する医用情報再生表示システムに関する。
【背景技術】
【０００２】
近年、コンピュータやその周辺機器技術の向上に伴い、画像情報及び患者情報のデジタル化が進められてきている。画像情報のデジタル化により、今まで院内に閉じていた画像情報や患者情報を共有したり、また、医療作業の援助や医療の質向上等の目的で外部の病院等にネットワークを介して必要な情報を転送したりすることも可能になってきた。また、ネットワークの大容量化により、医用画像のような大容量データも転送されるようになってきた。
【０００３】
医用情報は、その標準であるＤＩＣＯＭ（ｄｉｇｉｔａｌ  ｉｍａｇｉｎｇ  ａｎｄ  ｃｏｍｍｕｎｉｃａｔｉｏｎ  ｉｎ  ｍｅｄｉｃｉｎｅ）ファイルとして管理される。ＤＩＣＯＭファイルは、画像情報とそれに付帯される付帯情報とから構成される。この付帯情報には、検査ＩＤ情報、患者情報、収集情報、関連情報、画像表示情報及び画像データ情報等多くの個人情報を含んでいる。医用画像管理装置は、ＤＩＣＯＭファイルを管理し、必要に応じてメディアに記録したり、医用画像表示装置にＤＩＣＯＭファイルを提供したりする。
【０００４】
医用情報をネットワークを介して動画像として再生表示する技術がある。動画像として再生表示する技術として、高精度に診断すると共に、高速に画像を伝送する動画診断システム（例えば、特許文献１を参照。）が開示されている。
【特許文献１】特開平８−２６６４８１号公報
【発明の開示】
【発明が解決しようとする課題】
【０００５】
しかしながら、特定フレーム画像情報を包含する動画像情報を、前回までの読影にて注目している特定のフレーム画像情報から、又は、特定フレーム画像情報の前後を中心に再生表示したい場合であっても、特定フレーム画像情報と動画像情報とは独立した情報なので、動画像情報を最初から再生表示し、操作者が特定フレーム画像情報やその特定フレーム画像情報の前後までフレームを進める（戻す）必要があった。その場合、操作者は、動画再生される動画像情報を見ながら特定フレーム画像情報やその前後のフレーム画像を目視で探す必要がある。よって、操作者にとって時間や注意力が必要となり負担が大きかった。
【０００６】
本発明は、このような事情を考慮してなされたもので、動画像情報の再生表示時に前回の読影までに設定された特定フレーム画像情報を認識しその特定フレーム画像情報を基に動画像情報を再生表示することで、二度目以降の読影時における操作者の作業負担を軽減できる。
【課題を解決するための手段】
【０００７】
本発明に係る医用情報再生表示システムは、上述した課題を解決するために、時系列的な複数のフレーム画像情報によって構成される動画像情報を含む医用情報を記憶装置に記録する医用情報記録部と、前記記憶装置から前記医用情報を取得する医用情報取得部と、前記医用情報取得部によって取得される前記医用情報に含まれる前記動画像情報の中からサムネイル画像とは別に一つ以上の特定フレーム画像情報を取得し、前記特定フレーム画像情報を前記記憶装置に記録すると共に、前記動画像情報内における前記特定フレーム画像情報の時系列的な順位情報である特定フレーム順位情報を前記記憶装置に記録する特定フレーム画像情報取得・記録部と、を有する。
【発明の効果】
【０００８】
本発明に係る医用情報再生表示システムによると、動画像情報の再生表示時に前回の読影までに設定された特定フレーム画像情報を認識しその特定フレーム画像情報を基に動画像情報を再生表示することで、二度目以降の読影時における操作者の作業負担を軽減できる。
【発明を実施するための最良の形態】
【０００９】
本発明に係る医用情報再生表示システムの実施形態について、添付図面を参照して説明する。
【００１０】
図１は、本実施形態の医用情報再生表示システム及び医用情報生成装置の構成を示す概略図である。
【００１１】
図１は、医用情報生成装置（モダリティ）９及び本実施形態の医用情報再生表示システム１０を示す。医用情報再生表示システム１０は、医用情報管理装置１１及び医用情報表示装置（ｗｏｒｋ  ｓｔａｔｉｏｎ）１２を設ける。なお、医用情報再生表示システム１０に医用情報表示装置１２を複数設けてもよい。
【００１２】
医用情報生成装置９、医用情報管理装置１１及び医用情報表示装置１２は、コンピュータをベースとして構成されている。また、医用情報生成装置９、医用情報管理装置１１及び医用情報表示装置１２は、病院基幹のＬＡＮ（ｌｏｃａｌ  ａｒｅａ  ｎｅｔｗｏｒｋ）等のネットワークＮによって相互通信可能に接続されている。なお、医用情報表示装置１２は、ネットワークＮ網に相互通信可能に接続されていなくても構わない。
【００１３】
医用情報生成装置９としては、超音波診断装置、Ｘ線ＣＴ（ｃｏｍｐｕｔｅｄ  ｔｏｍｏｇｒａｐｈｙ）装置、ＭＲＩ（ｍａｇｎｅｔｉｃ  ｒｅｓｏｎａｎｃｅ  ｉｍａｇｉｎｇ）装置及びアンギオ装置等が挙げられ、一般的には、ネットワークＮ網に複数の医用情報生成装置９が接続されている。医用情報生成装置９は、患者の撮像部位等の被検体に関する動画像情報と、その動画像情報に付帯する付帯情報とを関連付けた医用情報であるＤＩＣＯＭ（ｄｉｇｉｔａｌ  ｉｍａｇｉｎｇ  ａｎｄ  ｃｏｍｍｕｎｉｃａｔｉｏｎ  ｉｎ  ｍｅｄｉｃｉｎｅ）ファイルを生成する。
【００１４】
ここで、ＤＩＣＯＭファイルとは、ＤＩＣＯＭ規格に従って生成されたファイルデータである。ＤＩＣＯＭ規格とは、医用情報を共通化するために米国で標準化され、動画像情報についてのデータ形式、通信方法、システム及びサービス等を含む広範囲な規約である。１つのＤＩＣＯＭファイルは、時系列に複数のフレーム画像情報によって構成される動画像情報に対応する。
【００１５】
図２は、ＤＩＣＯＭファイルの構造の概要を示す図である。
【００１６】
図２に示すように、動画像情報毎のＤＩＣＯＭファイルは、大きくは、ブランク領域、付帯情報領域及び動画像情報領域から構成される。ＤＩＣＯＭファイルの付帯情報領域はデータエレメント（例えば、Ｅｘｐｌｉｃｉｔ  ＶＲ（ｖａｌｕｅ  ｒｅｐｒｅｓｅｎｔａｔｉｏｎ）タイプ）の集合体から構成される。各データエレメントには、タグ（グループ番号（ＧＲＰ．），エレメント番号（ＥＬＭ．））、値表現（ＶＲ）、値長さ（ＶＬ：ｖａｌｕｅ  ｌｅｎｇｔｈ）及び値内容（Ｖａｌｕｅ）がそれぞれ含まれている。タグ、値表現、値長さ及び値内容は、一般的には１６進数（ＨＥＸ）で表記されている。なお、ＤＩＣＯＭファイルの構造をＥｘｐｌｉｃｉｔ  ＶＲタイプとして説明したが、Ｉｍｐｌｉｃｉｔ  ＶＲタイプであってもよい。
【００１７】
ＤＩＣＯＭファイルの各データエレメントに含まれる各タグによって、動画像情報の属性情報である患者情報（患者名や患者ＩＤ（ｉｄｅｎｔｉｆｉｃａｔｉｏｎ）等）、部位情報、撮像条件情報及び表示情報等が動画像情報に付与される。
【００１８】
また、図１に示す医用情報管理装置１１は、医用情報生成装置９によって生成されるＤＩＣＯＭファイルをネットワークＮを介して受信して、ＤＩＣＯＭファイルを保管するＤＢ（ｄａｔａ  ｂａｓｅ）サーバである。
【００１９】
図３は、医用情報管理装置１１のハードウェア構成の一例を示す図である。
【００２０】
図３は、医用情報管理装置１１のハードウェア構成を示し、その医用情報管理装置１１は、大きくは、制御装置としてのＣＰＵ（ｃｅｎｔｒａｌ  ｐｒｏｃｅｓｓｉｎｇ  ｕｎｉｔ）２１、メモリ２２、ＨＤ（ｈａｒｄ  ｄｉｓｃ）２３及びＩＦ（ｉｎｔｅｒｆａｃｅ）２４等の基本的なハードウェアから構成される。ＣＰＵ２１は、共通信号伝送路としてのバスＢ１を介して、医用情報管理装置１１をそれぞれ構成する各ハードウェア構成要素に相互接続されている。なお、医用情報管理装置１１に、ＤＩＣＯＭファイルに含まれる動画像情報を表示するモニタ等を含む表示装置や、キーボード及びマウス等の入力装置を有してもよい。
【００２１】
ＣＰＵ２１は、半導体で構成された電子回路が複数の端子を持つパッケージに封入されている集積回路（ＬＳＩ）の構成をもつ制御装置である。ＣＰＵ２１は、メモリ２２に記憶しているプログラムを実行する。又は、ＣＰＵ２１は、ＨＤ２３に記憶しているプログラム、ネットワークＮから転送されＩＦ２４で受信されてＨＤ２３にインストールされたプログラム等を、メモリ２２にロードして実行する機能を有する。
【００２２】
メモリ２２は、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等の要素を兼ね備える構成をもつ記憶装置である。メモリ２２は、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及びデータを記憶したり、ＣＰＵ２１のワークメモリやデータの一時的な記憶に用いたりする機能を有する。
【００２３】
ＨＤ２３は、磁性体を塗布又は蒸着した金属のディスクが読み取り装置（図示しない）に着脱不能で内蔵されている構成をもつ記憶装置である。ＨＤ２３は、医用情報管理装置１１にインストールされたプログラム（アプリケーションプログラムの他、ＯＳ（ｏｐｅｒａｔｉｎｇ  ｓｙｓｔｅｍ）等も含まれる）を記憶したり、ＤＩＣＯＭファイルや後述する特定フレーム画像情報及び特定フレーム順位情報等を記憶してＤＢを形成したりする機能を有する。
【００２４】
ＩＦ２４は、パラレル接続仕様やシリアル接続仕様に合わせたコネクタによって構成される。ＩＦ２４は、各規格に応じた通信制御を行ない、電話回線を通じてネットワークＮに接続することができる機能を有しており、これにより、医用情報管理装置１１をネットワークＮ網に接続させる。
【００２５】
また、図１に示す医用情報表示装置１２は、ネットワークＮを介して所望の動画像情報の属性情報を有するＤＩＣＯＭファイル、特定フレーム画像情報及び特定フレーム順位情報の提供を要求して、それらを基に静止画像情報及び動画像情報を再生表示する。
【００２６】
図４は、医用情報表示装置１２のハードウェア構成図である。
【００２７】
図４は、医用情報表示装置１２を示し、その医用情報表示装置１２は、大きくは、ＣＰＵ３１、メモリ３２、ＨＤ３３、ＩＦ３４、入力装置３５及び表示装置３６等の基本的なハードウェアから構成される。なお、ＣＰＵ３１は図３に示すＣＰＵ２１と、メモリ３２は図３に示すメモリ２２と、ＩＦ３４は図３に示すＩＦ２４とそれぞれ同様の構成を有するものとして、構成の説明を省略する。
【００２８】
ＣＰＵ３１は、メモリ３２に記憶しているプログラムを実行する。又は、ＣＰＵ３１は、ＨＤ３３に記憶しているプログラム、ネットワークＮから転送されＩＦ３４で受信されてＨＤ３３にインストールされたプログラム等を、メモリ３２にロードして実行する。
【００２９】
メモリ３２は、ＩＰＬ、ＢＩＯＳ及びデータを記憶したり、ＣＰＵ３１のワークメモリやデータの一時的な記憶に用いたりする。
【００３０】
ＨＤ３３は、医用情報表示装置１２にインストールされたプログラム（アプリケーションプログラムの他、ＯＳ等も含まれる）を記憶したりする。また、ＯＳに、ユーザに対する情報の表示にグラフィックを多用し、基礎的な操作を入力装置３５によって行なうことができるＧＵＩ（ｇｒａｐｈｉｃａｌ  ｕｓｅｒ  ｉｎｔｅｒｆａｃｅ）を提供させることもできる。
【００３１】
ＩＦ３４は、各規格に応じた通信制御を行ない、電話回線を通じてネットワークＮに接続することができる機能を有しており、これにより、医用情報表示装置１２をネットワークＮ網に接続させる。
【００３２】
入力装置３５としては、医師等の読影者（操作者）によって操作が可能なキーボード及びマウス等によって構成される。入力装置３５の操作に従った入力信号はバスＢ２を介してＣＰＵ３１に送られる。操作者は、入力装置３５を用いて、所望の動画像情報の属性情報を選択したり、再生表示用のＤＩＣＯＭファイルを選択したり、特定フレーム画像情報を選択したりする。
【００３３】
表示装置３６としては、図示しないＤ／Ａ（ｄｉｇｉｔａｌ  ｔｏ  ａｎａｌｏｇ）変換回路及びモニタ等によって構成される。表示装置３６は、ＤＩＣＯＭファイルに含まれる動画像情報及び付帯情報や、特定フレーム画像情報等を再生表示する。
【００３４】
図５は、本実施形態の医用情報再生表示システムの機能を示すブロック図である。
【００３５】
医用情報管理装置１１は、ＣＰＵ２１（図３に示す）によってプログラムが実行されることによって、医用情報再生表示システム１０の一部として機能する。すなわち、医用情報管理装置１１は、ＤＩＣＯＭファイル記録部４１、ＤＩＣＯＭファイル取得・提供部４２、特定フレーム画像情報取得・記録部４３及び特定フレーム情報取得・提供部４４として機能する。また、医用情報表示装置１２は、ＣＰＵ３１（図４に示す）によってプログラムが実行されることによって、医用情報再生表示システム１０の一部として機能する。すなわち、医用情報表示装置１２は、サムネイル表示部５１、静止画像・動画像再生表示部５２及び特定フレーム画像情報設定部５３として機能する。なお、複数の医用情報表示装置１２をそれぞれ構成要素５１乃至５３として機能させることもできる。
【００３６】
なお、構成要素４１乃至４４，構成要素５１乃至５３は、ソフトウェア的に機能する場合を例に挙げて説明するが、それら構成要素４１乃至４４，構成要素５１乃至５３の一部又は全部は、医用情報管理装置１１及び医用情報表示装置１２にハードウェア的にそれぞれ設けられるものであってもよい。
【００３７】
医用情報管理装置１１のＤＩＣＯＭファイル記録部４１は、時系列的な複数のフレーム画像情報によって構成される動画像情報を含む医用情報としてのＤＩＣＯＭファイルを記憶装置（ＤＩＣＯＭファイルＤＢ）２３ａに記録する機能を有する。
【００３８】
ＤＩＣＯＭファイル取得・提供部４２は、医用情報表示装置１２のサムネイル表示部５１からＤＩＣＯＭファイルの提供が要求される場合、動画像情報の属性情報を基にＤＩＣＯＭファイルＤＢ２３ａに記憶されるＤＩＣＯＭファイルの付帯情報を検索することで、ＤＩＣＯＭファイルＤＢ２３ａに記憶されるＤＩＣＯＭファイルの中から動画像情報の属性情報を有するＤＩＣＯＭファイルを取得してサムネイル表示部５１に提供する機能を有する。
【００３９】
特定フレーム画像情報取得・記録部４３は、ＤＩＣＯＭファイル取得・提供部４２によって取得されるＤＩＣＯＭファイルに含まれる動画像情報の中から、医用情報表示装置１２の特定フレーム画像情報設定部５３から要求される特定フレーム画像情報を取得し、その特定フレーム画像情報を新たなＤＩＣＯＭファイルとして記憶装置（特定フレーム画像情報ＤＢ）２３ｂに記録する機能を有する。また、特定フレーム画像情報取得・記録部４３は、動画像情報内における特定フレーム画像情報の時系列的な順位情報である特定フレーム順位情報を記憶装置（特定フレーム順位情報ＤＢ）２３ｃに記録する機能を有する。
【００４０】
特定フレーム情報取得・提供部４４は、医用情報表示装置１２のサムネイル表示部５１からＤＩＣＯＭファイルの提供が要求される場合、特定フレーム画像情報ＤＢ２３ｂを検索し、特定フレーム画像情報ＤＢ２３ｂに記憶される特定フレーム画像情報の中に動画像情報の属性情報を有するＤＩＣＯＭファイルに対応する特定フレーム画像情報が存在する場合、その特定フレーム画像情報を取得してサムネイル表示部５１に提供する機能を有する。また、特定フレーム情報取得・提供部４４は、医用情報表示装置１２のサムネイル表示部５１からＤＩＣＯＭファイルの提供が要求される場合、特定フレーム順位情報ＤＢ２３ｃを検索し、特定フレーム順位情報ＤＢ２３ｃに記憶される特定フレーム順位情報の中に特定フレーム画像情報に対応する特定フレーム順位情報が存在する場合、その特定フレーム順位情報を取得してサムネイル表示部５１に提供する機能を有する。
【００４１】
医用情報表示装置１２のサムネイル表示部５１は、医用情報管理装置１１のＤＩＣＯＭファイル取得・提供部４２に所望の動画像情報の属性情報を有するＤＩＣＯＭファイルの提供を要求する一方、医用情報管理装置１１の特定フレーム情報取得・提供部４４に所望の動画像情報の属性情報を有するＤＩＣＯＭファイルに対応する特定フレーム情報（特定フレーム画像情報及びその特定フレーム画像情報に対応する特定フレーム順位情報）の提供を要求する機能を有する。具体的には、医用情報表示装置１２の操作者は、入力装置３５を用いて所望の動画像情報の属性情報の入力を行ない、サムネイル表示部５１を介してＤＩＣＯＭファイル取得・提供部４２に所望の動画像情報の属性情報を有するＤＩＣＯＭファイルの提供を要求する一方、サムネイル表示部５１を介して特定フレーム情報取得・提供部４４に所望の動画像情報の属性情報を有するＤＩＣＯＭファイルに対応する特定フレーム情報の提供を要求する。
【００４２】
また、サムネイル表示部５１は、ＤＩＣＯＭファイル取得・提供部４２から提供される所望の動画像情報の属性情報を有するＤＩＣＯＭファイルに含まれる動画像情報をサムネイル表示する機能を有する。
【００４３】
図６は、ＤＩＣＯＭファイルに含まれる動画像情報のサムネイル表示画面の例を示す模式図である。
【００４４】
図６に示すように、ＤＩＣＯＭファイル取得・提供部４２から提供される所望の動画像情報の属性情報を有する複数のＤＩＣＯＭファイル毎に、ＤＩＣＯＭファイルに含まれる動画像情報（動画像情報に含まれる先頭のフレーム画像情報）がサムネイル表示される。なお、表示画面上には、所望の動画像情報の属性情報を有するＤＩＣＯＭファイルに含まれる共通の付帯情報も表示されている。
【００４５】
また、図５に示す静止画像・動画像再生表示部５２は、サムネイル表示部５１から送られる所望の動画像情報の属性情報を有するＤＩＣＯＭファイルの中から選択される再生表示用のＤＩＣＯＭファイルに対応する特定フレーム情報がある（特定フレーム情報が特定フレーム情報取得・提供部４４からサムネイル表示部５１に提供される）と判断する場合、サムネイル表示部５１から送られる特定フレーム画像情報を静止画像として表示装置３６のモニタで再生表示する機能を有する。また、静止画像・動画像再生表示部５２は、再生表示用のＤＩＣＯＭファイルに対応する特定フレーム情報があると判断する場合、サムネイル表示部５１から送られる再生表示用のＤＩＣＯＭファイルに含まれる動画像情報を、サムネイル表示部５１から送られる特定フレーム順位情報に対応する順位のフレーム画像情報から動画像として表示装置３６のモニタで再生表示する機能を有する。なお、再生表示用のＤＩＣＯＭファイルの選択は、医用情報表示装置１２の操作者が入力装置３５を用いて表示装置３６のモニタに表示されるサムネイル表示画面（図６に示す）を見ながら診断に供すべきＤＩＣＯＭファイルのアイコンをクリックすることで、モニタ上で行なわれる。
【００４６】
ここで、静止画像・動画像再生表示部５２は、再生表示用のＤＩＣＯＭファイルに対応する特定フレーム情報があると判断する場合、再生表示用のＤＩＣＯＭファイルに含まれる動画像情報を、特定フレーム順位情報より所要順位だけ前の順位のフレーム画像情報から再生表示する構成としたり、動画像情報を、特定フレーム順位情報より表示時間が所要時間だけ前のフレーム画像情報から再生表示する構成としたりすることが好適である。その場合、特定フレーム画像情報のＫ（Ｋ≧０）フレーム前又はＬ（Ｌ≧０）秒前からの動画像の再生表示を可能とする。ここで、Ｌ秒前は、ＤＩＣＯＭファイルのヘッダ内の動画再生表示の速度情報（１フレームの表示時間が保存されている）を基に算出する。また、静止画像・動画像再生表示部５２は、動画像情報を、順送り又は逆送にて再生表示する構成としてもよく、その場合、特定フレーム画像情報の時系列的な前後を短時間で表示できる。
【００４７】
図７は、静止画像・動画像再生表示部５２によって再生表示される静止画像及び動画像の表示画面の例を示す模式図である。図７（ａ）は、再生表示用のＤＩＣＯＭファイルに対応する特定フレーム画像情報が示す特定フレーム画像が１枚である場合の静止画像及び動画像の表示画面の一例を示している。一方、図７（ｂ）は、再生表示用のＤＩＣＯＭファイルに対応する特定フレーム画像情報が示す特定フレーム画像が複数、例えば２枚である場合の静止画像及び動画像の表示画面の一例を示している。
【００４８】
図７（ａ）に示すように、再生表示用のＤＩＣＯＭファイルに対応する特定フレーム画像情報が示す特定フレーム画像が１枚である場合、静止画像・動画像再生表示部５２は、サムネイル表示部５１から送られる特定フレーム画像情報が示す特定フレーム画像Ｆ［ｎ］を静止画像として表示装置３６のモニタで再生表示する。また、図７（ａ）に示すように、再生表示用のＤＩＣＯＭファイルに対応する特定フレーム画像情報が示す特定フレーム画像が１枚である場合、静止画像・動画像再生表示部５２は、再生表示用のＤＩＣＯＭファイルに含まれる動画像情報を、特定フレーム順位情報［ｎ］より２（Ｋ＝２の場合）フレーム前の順位［ｎ−２］のフレーム画像情報が示すフレーム画像Ｆ［ｎ−２］から再生表示する。
【００４９】
一方、図７（ｂ）に示すように、再生表示用のＤＩＣＯＭファイルに対応する特定フレーム画像情報が示す特定フレーム画像が２枚である場合、静止画像・動画像再生表示部５２は、サムネイル表示部５１から送られる特定フレーム画像情報が示す各特定フレーム画像Ｆ［ｍ］，Ｆ［ｎ］を静止画像として表示装置３６のモニタで再生表示する。また、図７（ｂ）に示すように、再生表示用のＤＩＣＯＭファイルに対応する特定フレーム画像情報が示す特定フレーム画像が２枚である場合、操作者が入力装置３５を用いて静止画像として再生表示される特定フレーム画像Ｆ［ｍ］を選択すると、静止画像・動画像再生表示部５２は、再生表示用のＤＩＣＯＭファイルに含まれる動画像情報を特定フレーム順位情報［ｍ］より１０（Ｋ＝１０の場合）フレーム前の順位［ｍ−１０］のフレーム画像情報が示すフレーム画像Ｆ［ｍ−１０］から再生表示する。一方、図示しないが、操作者が入力装置３５を用いて静止画像として再生表示される特定フレーム画像Ｆ［ｎ］を選択すると、静止画像・動画像再生表示部５２は、再生表示用のＤＩＣＯＭファイルに含まれる動画像情報を特定フレーム順位情報［ｎ］より１０フレーム前の順位［ｎ−１０］のフレーム画像情報が示すフレーム画像Ｆ［ｎ−１０］から再生表示する。
【００５０】
一方、図５に示す静止画像・動画像再生表示部５２は、サムネイル表示部５１から送られる所望の動画像情報の属性情報を有するＤＩＣＯＭファイルの中から選択される再生表示用のＤＩＣＯＭファイルに対応する特定フレーム情報がない（特定フレーム情報が特定フレーム情報取得・提供部４４からサムネイル表示部５１に提供されない）と判断する場合、再生表示用のＤＩＣＯＭファイルに含まれる動画像情報を先頭のフレーム画像情報から動画像として表示装置３６のモニタで再生表示する機能を有する。
【００５１】
図８は、静止画像・動画像再生表示部５２によって再生表示される動画像の表示画面の例を示す模式図である。
【００５２】
図８に示すように、表示画面上には、再生表示用のＤＩＣＯＭファイルに含まれる動画像情報が先頭のフレーム画像情報から動画像として再生表示される。なお、表示画面上には、再生表示用のＤＩＣＯＭファイルに含まれる付帯情報も表示されている。
【００５３】
図８に示すように、再生表示用のＤＩＣＯＭファイルに対応する特定フレーム情報がない場合、再生表示用のＤＩＣＯＭファイルに含まれる動画像情報を、先頭のフレーム画像情報が示すフレーム画像Ｆ［１］から再生表示する。
【００５４】
また、図５に示す特定フレーム画像情報設定部５３は、静止画像・動画像再生表示部５２から送られる再生表示用のＤＩＣＯＭファイルに含まれる動画像情報から特定フレーム画像情報を設定する機能を有する。また、特定フレーム画像情報設定部５３は、設定される特定フレーム画像情報を取得して特定フレーム画像情報ＤＢ２３ｂに記録するように、また、ＤＩＣＯＭファイル取得・提供部４２によって取得されるＤＩＣＯＭファイルに含まれる付帯情報を基に、設定される特定フレーム画像情報に対応する特定フレーム順位情報を取得して特定フレーム順位情報ＤＢ２３ｃに記録するように特定フレーム画像情報取得・記録部４３に要求する機能を有する。
【００５５】
具体的には、医用情報表示装置１２の操作者は、図７又は図８に示すような再生表示用のＤＩＣＯＭファイルに含まれる動画像情報の再生表示を見ながら、必要に応じて、入力装置３５を用いて診断に供すべき注目の特定フレーム画像を選択する。特定フレーム画像情報設定部５３は、選択される注目の特定フレーム画像を特定フレーム画像情報として設定する。なお、医用情報表示装置１２の操作者が、入力装置３５を用いて診断に供すべき注目の特定フレーム画像にコメント、アノテーション及び特定フレーム画像情報に含まれる画像上のメモリ情報や角度情報等の計測情報等を付帯させることによって、特定フレーム画像情報設定部５３は、コメント、アノテーション及び計測情報のうち少なくとも１つをもつ特定フレーム画像を特定フレーム画像情報として設定する。
【００５６】
また、特定フレーム画像情報設定部５３は、特定フレーム画像情報を設定すると共に、静止画像・動画像再生表示部５２による動画像情報の再生表示によって表示された時系列的に最後のフレーム画像情報に対応する特定フレーム順位情報を取得して特定フレーム順位情報ＤＢ２３ｃに記録するように特定フレーム画像情報取得・記録部４３に要求することもできる。その場合、次回以降の読影において、静止画像・動画像再生表示部５２は、再生表示用のＤＩＣＯＭファイルに含まれる動画像情報を、特定フレーム順位情報に対応する順位のフレーム画像情報及び最後のフレーム画像情報の間をループ再生表示することもできる。
【００５７】
続いて、医用情報生成装置９の動作と本実施形態の医用情報再生表示システム１０の動作とを、図９に示すフローチャートを用いて説明する。なお、後述するステップＳ１は、一般的には被検体の撮像終了のタイミングで、また、後述するステップＳ２乃至Ｓ１０は、一般的には読影のタイミングで動作される。
【００５８】
まず、医用情報生成装置９を用いて、時系列的な複数のフレーム画像情報によって構成される動画像情報を生成し、その動画像情報を含むＤＩＣＯＭファイルを生成する。
【００５９】
医用情報管理装置１１は、医用情報生成装置９からＤＩＣＯＭファイルを受信し、ＤＩＣＯＭファイルをＤＩＣＯＭファイルＤＢ２３ａに記録する（ステップＳ１）。ステップＳ１を繰り返すことで、ＤＩＣＯＭファイルＤＢ２３ａには、複数のＤＩＣＯＭファイルを記憶することができる。
【００６０】
次いで、医用情報表示装置１２の操作者は、入力装置３５を用いて所望の動画像情報の属性情報の入力を行ない、医用情報管理装置１１に所望の動画像情報の属性情報を有するＤＩＣＯＭファイルの提供を要求すると共に、所望の動画像情報の属性情報を有するＤＩＣＯＭファイルに対応する特定フレーム情報（特定フレーム画像情報と、その特定フレーム画像情報に対応する特定フレーム順位情報）の提供を要求する（ステップＳ１）。
【００６１】
医用情報管理装置１１は、ＤＩＣＯＭファイルＤＢ２３ａに記憶されるＤＩＣＯＭファイルの中からステップＳ１によって要求されるＤＩＣＯＭファイルを取得して医用情報表示装置１２に提供する。また、医用情報管理装置１１は、特定フレーム画像情報ＤＢ２３ｂに記憶される特定フレーム画像情報の中にステップＳ１によって要求されるＤＩＣＯＭファイルに対応する特定フレーム情報がある場合、特定フレーム画像情報ＤＢ２３ｂ及び特定フレーム順位情報ＤＢ２３ｃにそれぞれ記憶される特定フレーム情報の中からステップＳ１によって要求されるＤＩＣＯＭファイルに対応する特定フレーム情報をそれぞれ取得して医用情報表示装置１２にそれぞれ提供する（ステップＳ３）。
【００６２】
医用情報表示装置１２の操作者は、入力装置３５を用いてステップＳ３によって医用情報管理装置１１から提供される所望の動画像情報の属性情報を有するＤＩＣＯＭファイルの中から、診断に供すべきＤＩＣＯＭファイルをモニタ上で選択する。医用情報表示装置１２は、選択されるＤＩＣＯＭファイルを再生表示用のＤＩＣＯＭファイルとして設定する（ステップＳ４）。ここで、医用情報表示装置１２は、ステップＳ４によって設定される再生表示用のＤＩＣＯＭファイルに対応する特定フレーム情報が存在する（ステップＳ３によって提供される）か否かを判断する（ステップＳ５）。ステップＳ５の判断にてＹＥＳ、すなわち、ステップＳ４によって設定される再生表示用のＤＩＣＯＭファイルに対応する特定フレーム情報が存在すると判断される場合、図７（ａ），（ｂ）に示すように、特定フレーム画像情報を静止画像として表示装置３６のモニタで再生表示する一方、再生表示用のＤＩＣＯＭファイルに含まれる動画像情報を、特定フレーム順位情報に対応する順位のフレーム画像情報から動画像として表示装置３６のモニタで再生表示する（ステップＳ６）。
【００６３】
次いで、医用情報表示装置１２の操作者は、入力装置３５を用いて表示装置３６のモニタで再生表示される動画像を見ながら診断に供すべき注目のフレーム画像をモニタ上で選択する。そして、医用情報表示装置１２は、選択される注目のフレーム画像を特定フレーム画像として設定する（ステップＳ７）。そして、医用情報表示装置１２は、ステップＳ７によって設定される特定フレーム画像情報を取得して特定フレーム画像情報ＤＢ２３ｂに記録するように、また、ステップＳ７によって設定される特定フレーム画像情報に対応する特定フレーム順位情報を取得して特定フレーム順位情報ＤＢ２３ｃに記録するように医用情報管理装置１１に要求する（ステップＳ８）。
【００６４】
医用情報管理装置１１は、ステップＳ３によって取得されるＤＩＣＯＭファイルに含まれる動画像情報の中から、ステップＳ８によって要求される特定フレーム画像情報を取得し、その特定フレーム画像情報を特定フレーム画像情報ＤＢ２３ｂに記録すると共に、特定フレーム画像情報に対応する特定フレーム順位情報を特定フレーム順位情報ＤＢ２３ｃに記録する（ステップＳ９）。
【００６５】
一方、ステップＳ５の判断にてＮＯ、すなわち、ステップＳ４によって設定される再生表示用のＤＩＣＯＭファイルに対応する特定フレーム情報が存在しないと判断される場合、図８に示すように、再生表示用のＤＩＣＯＭファイルに含まれる動画像情報を、先頭のフレーム画像情報から動画像として表示装置３６のモニタで再生表示して（ステップＳ１０）、ステップＳ７の動作を行なう。
【００６６】
上述したように、医用情報再生表示システム１０の構成要素４１乃至４４，５１乃至５３や、ステップＳ１乃至１０によると、ＤＩＣＯＭファイルに含まれる動画像情報の中から注目すべき特定フレーム画像情報を静止画像として保存する際、その特定フレーム画像情報と共に特定フレーム画像情報に対応する特定フレーム順位情報をＤＢとして保存することで、後に当該ＤＩＣＯＭファイルに含まれる動画像情報を再生表示する際、前回までに注目された特定フレーム画像情報を基に動画像として再生表示されることになる。
【００６７】
医用情報再生表示システム１０によると、特定フレーム画像情報の特定フレーム順位情報をＤＩＣＯＭの付帯情報として持たなくても、動画像情報の再生表示時に前回の読影までに設定された特定フレーム画像情報を認識しその特定フレーム画像情報を基に動画像情報を再生表示することができ、二度目以降の読影時における操作者の作業負担を軽減できる。
【図面の簡単な説明】
【００６８】
【図１】本実施形態の医用情報再生表示システム及び医用情報生成装置の構成を示す概略図。
【図２】ＤＩＣＯＭファイルの構造の概要を示す図。
【図３】医用情報管理装置のハードウェア構成の一例を示す図。
【図４】医用情報表示装置のハードウェア構成の一例を示す図。
【図５】本実施形態の医用情報再生表示システムの機能を示すブロック図。
【図６】ＤＩＣＯＭファイルに含まれる動画像情報のサムネイル表示画面の例を示す模式図。
【図７】（ａ），（ｂ）は、再生表示される静止画像及び動画像の表示画面の例を示す模式図。
【図８】再生表示される動画像の表示画面の例を示す模式図。
【図９】医用情報生成装置の動作と本実施形態の医用情報再生表示システムの動作とを示すフローチャート。
【符号の説明】
【００６９】
１０  医用情報再生表示システム
１１  医用情報管理装置
１２  医用情報表示装置
２３ａ  ＤＩＣＯＭファイルＤＢ
２３ｂ  特定フレーム画像情報ＤＢ
２３ｃ  特定フレーム順位情報ＤＢ
４１  ＤＩＣＯＭファイル記録部
４２  ＤＩＣＯＭファイル取得・提供部
４３  特定フレーム画像情報取得・記録部
４４  特定フレーム情報取得・提供部
５１  サムネイル表示部
５２  静止画像・動画像再生表示部
５３  特定フレーム画像情報設定部
【図１】
0005337374.tif 000002
【図２】
0005337374.tif 000003
【図３】
0005337374.tif 000004
【図４】
0005337374.tif 000005
【図５】
0005337374.tif 000006
【図６】
0005337374.tif 000007
【図７】
0005337374.tif 000008
【図８】
0005337374.tif 000009
【図９】
0005337374.tif 000010